(57)【要約】  【課題】  複数の空気調和機と集中管理装置との間に通信障害が発生した場合に、保守点検のために作業員をわざわざ現場へ出向かせることなしに、一般ユーザーが容易に通信を復帰させることを可能とした空気調和機の遠隔制御システムの提供を目的とする。  【解決手段】  複数の空気調和機を集中管理する集中管理装置（又はそのような集中管理装置に管理される空気調和機それぞれのリモートコントローラ）に、いずれかの空気調和機との間の通信障害が発生している旨を通信障害表示部１ｅに表示する表示部１と通信復帰を行なわせるための通信復帰スイッチ２ｅとを設け、使用者に通信復帰作業を行なわせる。【選択図】      図２
2005308253.tif 000002
【特許請求の範囲】
【請求項１】
複数の空気調和機と、これらの複数の空気調和機との間で通信を行なうことによりそれぞれを制御する集中管理装置とを含む空気調和機の遠隔制御システムにおいて、
前記集中管理装置は、
前記複数の空気調和機のいずれかとの間に通信障害が発生した場合にその旨を報知する報知手段と、
通信障害が発生した空気調和機との間の通信を復帰させる指示を受け付ける通信復帰指示手段と
を備えたことを特徴とする空気調和機の遠隔制御システム。
【請求項２】
前記集中管理装置は、前記報知手段による報知を表示する表示部と、該表示部の表示画面に重畳して設けられたタッチパネル方式の入力部とを有し、
前記通信復帰指示手段は、前記入力部に設けられたスイッチであり、通信障害が発生した場合に前記表示部に前記スイッチが表示されるように構成されていること
を特徴する請求項１に記載の空気調和機の遠隔制御システム。
【請求項３】
複数の空気調和機と、これらの複数の空気調和機との間で通信を行なうことによりそれぞれを制御する集中管理装置とを含む空気調和機の遠隔制御システムにおいて、
前記空気調和機それぞれは、
前記集中管理装置との間に通信障害が発生した場合にその旨を報知する報知手段と、
前記集中管理装置との間の通信を復帰させる指示を受け付ける通信復帰指示手段と
を備えたことを特徴とする空気調和機の遠隔制御システム。
【請求項４】
前記空気調和機それぞれはそれぞれを制御するためのリモートコントローラを備え、前記報知手段及び通信復帰指示手段が前記リモートコントローラに備えられていることを特徴とする請求項３に記載の空気調和機の遠隔制御システム。
【請求項５】
前記リモートコントローラは、前記報知手段による報知を表示する表示部と、該表示部の表示画面に併設されたタッチパネル方式の入力部を有し、
前記通信復帰指示手段は前記入力部に設けられたスイッチであり、通信障害が発生した場合に前記表示部に前記スイッチが表示されるように構成されていること
を特徴する請求項４に記載の空気調和機の遠隔制御システム。
【発明の詳細な説明】
【技術分野】
【０００１】
本発明は、複数台の空気調和機との間で通信を行なうことにより集中管理装置がそれらの空気調和機を一括して集中管理することが可能な遠隔制御システムに関し、より具体的には、ノイズ、他の無線通信等による通信妨害により通信障害が発生して一時的にいずれかの空気調和機と集中管理装置との間の通信が出来なくなった場合の通信再開を容易に行なえる空気調和機の遠隔制御システムに関する。
【背景技術】
【０００２】
近年のマイクロコンピュータ及びデータ伝送の応用技術の発展に伴い、空気調和機の分野においても複数の空気調和機を集中管理装置で一括して管理する遠隔制御システムが普及している。このような空気調和機の遠隔制御システムとしては、一例として特許文献１に開示されているように、集中管理装置と外部との通信によってあらゆるデータの送受を行なうことが提案されている。この例では、故障が発生した場合にもサービス会社に報知される構成となっている。
【０００３】
図５は一般的な空気調和機の集中管理システムの構成例を示す模式的ブロック図である。集中管理装置Ｃ１には複数台の空気調和機Ａ１〜Ａ４が接続されており、集中管理装置Ｃ１と各空気調和機Ａ１〜Ａ４それぞれとの間はデータ信号の送受信が有線で常時行なえるようになっており、従って集中管理装置Ｃ１による各空気調和機Ａ１〜Ａ４の一括した集中管理制御が行なえる。また、各空気調和機Ａ１〜Ａ４にはそれぞれリモートコントローラＲ１〜Ｒ４がたとえば赤外線通信等により接続されている。従って、これらのリモートコントロールＲ１〜Ｒ４それぞれと空気調和機Ａ１〜Ａ４それぞれとの間でもデータの送受信が行なわれるようになっており、各リモートコントロールＲ１〜Ｒ４による各空気調和機Ａ１〜Ａ４の個別の制御が可能である。
【０００４】
図６は一般的な空気調和機の集中管理システムの他の構成例を示す模式的ブロック図である。この例では、図５に示したシステムの集中管理装置と各空気調和機との間の通信を無線化している。即ち、集中管理装置Ｃ２と複数の空気調和機Ａ５〜Ａ８との間の通信を無線通信により行なうようにすることにより、信号線が不要になるので設置工事が簡略化される。このような図６に示すシステム構成においても図５に示した有線通信によるシステム構成と同様に、集中管理装置Ｃ２と各空気調和機Ａ５〜Ａ８それぞれとの間はデータ信号の送受信が常時行なえるようになっており、従って集中管理装置Ｃ２による各空気調和機Ａ５〜Ａ８の一括した集中管理制御が行なえるように構成されている。また、各空気調和機Ａ５〜Ａ８それぞれにリモートコントローラＲ５〜Ｒ８が接続されていることも同様である。
【特許文献１】特開２００１−３２４２００号公報
【発明の開示】
【発明が解決しようとする課題】
【０００５】
しかし、図５に示したシステム構成においては有線で、また図６に示したシステム構成においては無線でそれぞれ遠隔の集中管理装置からのデータ送信により各空気調和機との間の通信を行なっているため、種々の原因、たとえばノイズ、他の無線通信による通信妨害等により正常に通信が行なえなくなることがしばしば発生することがあった。そのような場合には、保守点検のための作業員を現場へ出向かせて点検させる必要があった。
【０００６】
しかし、実際に信号線が断線していたり、無線通信装置が故障していたりというような重大な故障が発生することはまれであり、単に一時的な通信障害により通信ができなくなる、より具体的にはノイズ等により正常なデータ伝送が一時的に行なえなくなり、その後の通信手順が狂ってしまうような場合が多い。従って、このようなノイズ、他の無線通信による不具合等による一時的な通信障害で集中管理装置による空気調和機の制御を停止してしまうのは得策といえず、また保守担当者を呼び出して対応してもらうには時間を要する。このため、何らかの手法で通信を復帰させることができる場合には、簡単な通信障害程度であれば専門の保守担当者ではなくとも使用者に通信復帰の作業を行なってもらえれば、保守側にとっても、使用者にとってもメリットがあると考えられる。
【０００７】
本発明は以上のような事情に鑑みてなされたものであり、複数の空気調和機と集中管理装置との間に通信障害が発生した場合に、保守点検のために作業員をわざわざ現場へ出向かせることなしに、一般ユーザーが容易に通信を復帰させることを可能とした空気調和機の遠隔制御システムの提供を目的とする。
【課題を解決するための手段】
【０００８】
本発明は端的には、複数の空気調和機を集中管理する集中管理装置、またはそのような集中管理装置に管理される空気調和機それぞれのリモートコントローラに、通信復帰を行なわせるための手段を設けて使用者に通信復帰作業を行なわせるように構成したものである。
【０００９】
本発明に係る空気調和機の遠隔制御システムは、複数の空気調和機と、これらの複数の空気調和機との間で通信を行なうことによりそれぞれを制御する集中管理装置とを含む空気調和機の遠隔制御システムにおいて、前記集中管理装置は、前記複数の空気調和機のいずれかとの間に通信障害が発生した場合にその旨を報知する報知手段と、通信障害が発生した空気調和機との間の通信を復帰させる指示を受け付ける通信復帰指示手段とを備えたことを特徴とする。
【００１０】
このような本発明に係る空気調和機の遠隔制御システムでは、複数の空気調和機のいずれかとの間に通信障害が発生した場合にその旨を報知する報知手段と、通信障害が発生した空気調和機との間の通信を復帰させる指示を受け付ける通信復帰指示手段とが集中管理装置に備えられており、集中管理装置において通信障害が発生した空気調和機が特定されると共にその空気調和機との間の通信を復帰させる指示が受け付けられる。
【００１１】
また本発明に係る空気調和機の遠隔制御システムは上述の発明において、前記集中管理装置は、前記報知手段による報知を表示する表示部と、該表示部の表示画面に重畳して設けられたタッチパネル方式の入力部とを有し、前記通信復帰指示手段は、前記入力部に設けられたスイッチであり、通信障害が発生した場合に前記表示部に前記スイッチが表示されるように構成されていることを特徴する。
【００１２】
またこのような本発明に係る空気調和機の遠隔制御システムでは上述の発明において、集中管理装置が報知手段による報知を表示する表示部と、表示部の表示画面に重畳して設けられたタッチパネル方式の入力部とを有しており、通信障害が発生した場合に表示部に通信復帰指示手段であるスイッチが表示される。
【００１３】
更に本発明に係る空気調和機の遠隔制御システムは、複数の空気調和機と、これらの複数の空気調和機との間で通信を行なうことによりそれぞれを制御する集中管理装置とを含む空気調和機の遠隔制御システムにおいて、前記空気調和機それぞれは、前記集中管理装置との間に通信障害が発生した場合にその旨を報知する報知手段と、前記集中管理装置との間の通信を復帰させる指示を受け付ける通信復帰指示手段とを備えたことを特徴とする。
【００１４】
このような本発明に係る空気調和機の遠隔制御システムでは、集中管理装置との間に通信障害が発生した場合にその旨を報知する報知手段と、集中管理装置との間の通信を復帰させる指示を受け付ける通信復帰指示手段とがそれぞれの空気調和機に備えられており、それぞれの空気調和機において集中管理装置との間の通信障害が発生したことが報知されると共に集中管理装置との間の通信を復帰させる指示が受け付けられる。
【００１５】
また更に本発明に係る空気調和機の遠隔制御システムは上述の発明において、前記空気調和機それぞれはそれぞれを制御するためのリモートコントローラを備え、前記報知手段及び通信復帰指示手段が前記リモートコントローラに備えられていることを特徴とする。
【００１６】
またこのような本発明に係る空気調和機の遠隔制御システムでは上述の発明において、報知手段及び通信復帰指示手段が空気調和機それぞれを制御するためのリモートコントローラに備えられている。
【００１７】
更に本発明に係る空気調和機の遠隔制御システムは上述の発明において、前記リモートコントローラは、前記報知手段による報知を表示する表示部と、該表示部の表示画面に併設されたタッチパネル方式の入力部を有し、前記通信復帰指示手段は前記入力部に設けられたスイッチであり、通信障害が発生した場合に前記表示部に前記スイッチが表示されるように構成されていることを特徴する。
【００１８】
更にこのような本発明に係る空気調和機の遠隔制御システムでは上述の発明において、それぞれの空気調和機が報知手段による報知を表示する表示部と、表示部の表示画面に重畳して設けられたタッチパネル方式の入力部とを有しており、集中管理装置との間の通信障害が発生した場合に表示部に通信復帰指示手段であるスイッチが表示される。
【発明の効果】
【００１９】
本発明に係る空気調和機の遠隔制御システムによれば、集中管理装置と複数の空気調和機のいずれかとの間に通信障害が発生した場合にも、集中管理装置において通信を復帰させる指示を受け付けることにより通信が復帰する可能性が高いため、保守点検のために専門の技術者がわざわざ出向かなければならない必要性が減少する。
【００２０】
また本発明に係る空気調和機の遠隔制御システムによれば上述の発明において、通信障害が発生した場合にのみ、集中管理装置の表示部に通信復帰指示手段であるスイッチが表示されるので、通常の状態において誤操作が行なわれる可能性が低くなる。
【００２１】
更に本発明に係る空気調和機の遠隔制御システムによれば、集中管理装置と複数の空気調和機のいずれかとの間に通信障害が発生した場合にも、通信障害が発生した空気調和機において通信を復帰させる指示を受け付けることにより通信が復帰する可能性が高いため、保守点検のために専門の技術者がわざわざ出向かなければならない必要性が減少する。
【００２２】
また本発明に係る空気調和機の遠隔制御システムによれば上述の発明において、それぞれの空気調和機を個別に制御するリモートコントローラに報知手段及び通信復帰指示手段が備えられているので、通信を復帰させる指示を使用者が容易に与えることが可能になる。
【００２３】
更に本発明に係る空気調和機の遠隔制御システムによれば上述の発明において、通信障害が発生した場合にのみ、リモートコントローラの表示部に通信復帰指示手段であるスイッチが表示されるので、通常の状態において誤操作が行なわれる可能性が低くなる。
【発明を実施するための最良の形態】
【００２４】
以下、本発明の実施の形態を図面に基づいて説明する。まず最初に、本発明に係る空気調和機の遠隔制御システムのシステム構成について図１の模式的ブロック図を参照して説明する。
【００２５】
本発明に係る空気調和機の遠隔制御システムは、集中管理装置ＣＲと、この集中管理装置ＣＲと有線通信又は無線通信可能な複数の空気調和機ＡＲ１〜ＡＲ４とを通信経路Ｐ１〜Ｐ４でそれぞれ接続してある。また、各空気調和機ＡＲ１〜ＡＲ４にはそれぞれを個別に制御するためのリモートコントローラＷＲ１〜ＷＲ４がたとえば赤外線通信等により接続されている。
【００２６】
なお、集中管理装置ＣＲには詳細は後述するがコントローラ１０（５０）が備えられており、また各空気調和機ＡＲ１〜ＡＲ４にもそれぞれ図示しないコントローラが備えられている。更に各リモートコントローラＷＲ１〜ＷＲ４には詳細は後述するが、上述した集中管理装置ＣＲのコントローラ１０（５０）に相当する操作パネル３０が備えられている。
【００２７】
このようなシステムにおいてたとえば、集中管理装置ＣＲと一つの空気調和機ＡＲ１との間の通信経路Ｐ１に何らかの異常が一時的に発生すると、両者間の通信が正常に行なわれなくなり、集中管理装置ＣＲによる集中管理が正常に行なわれ難くなる。そして、集中管理装置ＣＲと空気調和機ＡＲ１との間で正常な通信が出来なくなってから予め定められている時間、または予め定められている回数、通信を続けたにもかかわらず通信が再開出来ない場合等には、集中管理装置ＣＲは他の空気調和機ＡＲ２〜ＡＲ４とも通信を行なう必要があるので、通信障害が発生している空気調和機ＡＲ１との間の通信を成功させるために多くの時間を費やしてしまうと他の空気調和機ＡＲ２〜ＡＲ４との間の通信が疎かになってシステム全体の制御を正常に行なうことが出来なくなる可能性が生じる。従ってこのような場合には、集中管理装置ＣＲは空気調和機ＡＲ１との間には通信障害が発生したと判断し、この空気調和機ＡＲ１との間の通信を遮断してそれ以降は通信を行なわず、通信が可能な、換言すれば通信障害が発生していない他の空気調和機ＡＲ２〜ＡＲ４との間でのみ通信を行なって集中管理を続ける。
【００２８】
なお、集中管理装置ＣＲ及び各空気調和機ＡＲ１〜ＡＲ４、更には各リモートコントローラＷＲ１〜ＷＲ４の内部構成についてはいずれも従来周知の構成であるのでそれらの説明は省略する。
【００２９】
（実施の形態１）
図２は本発明に係る空気調和機の遠隔制御システムの実施の形態１の集中管理装置ＣＲのコントローラ１０の構成を示す模式的正面図である。本実施の形態に係る空気調和機の遠隔制御システムの集中管理装置ＣＲのコントローラ１０は、表示部１と操作部２とを備えている。
【００３０】
表示部１は、各空気調和機ＡＲ１〜ＡＲ４の動作内容を表示するためのものであり、液晶表示装置又は蛍光表示管等が利用される。この表示部１の表示内容としては、その時点で遠隔制御の対象となっている空気調和機（ユニット）ＡＲ１の番号を示すユニット番号表示部１ｄ、同じく空気調和機ＡＲ１が運転中であるか停止中であるかを示す運転／停止表示部１ａ、同じく空気調和機ＡＲ１が運転中である場合に自動モードであるか暖房，除湿，冷房モードであるかを示す運転モード表示部１ｂ、同じく空気調和機ＡＲ１が運転中である場合に設定されている風量を示す風量表示部１ｃ等が含まれている。
【００３１】
なお、参照符号１ｅは通信障害が発生した旨を表示する通信障害表示部である。ユニット番号表示部１ｄに表示されている番号の空気調和機に通信障害が発生している場合にこの通信障害表示部１ｅにその旨が表示されて使用者に通信障害が発生していることを報知する。
【００３２】
また操作部２は各空気調和機ＡＲ１〜ＡＲ４へ種々の指令を送るためのスイッチで構成されている。具体的には、いずれの空気調和機ＡＲ１〜ＡＲ４を遠隔制御するかを選択するためのユニット切換スイッチ２ｃ、このユニット切換スイッチ２ｃで選択されてその時点で遠隔制御の対象となっている空気調和機ＡＲ１（又はＡＲ２〜ＡＲ４）を運転させるか停止させるかを指令するための運転／停止スイッチ２ａ、同じく空気調和機ＡＲ１の運転モード（自動，暖房，除湿，冷房）の切り換えを指令するための運転切換スイッチ２ｂ、同じく空気調和機ＡＲ１の風量を切り換えるための風量スイッチ２ｄ等が備えられている。
【００３３】
更に操作部２には通信復帰スイッチ２ｅが備えられている。この通信復帰スイッチ２ｅは、集中管理装置ＣＲとユニット番号表示部１ｄに表示されている番号の空気調和機（ユニット）ＡＲ１との間の通信を一旦リセットして初期状態とした後に所定の手順で通信を再開させるためのスイッチである。従ってこの通信復帰スイッチ２ｅが操作されると、ノイズ等により通信手順が狂ってしまったような場合であれば一旦リセットされて初期状態から所定の手順で通信が再開されるので、以降は正常に通信が行なわれることになる。
【００３４】
次に、上述のようなコントローラ１０を有する集中管理装置ＣＲの動作について説明する。
【００３５】
前述のように、集中管理装置ＣＲと空気調和機ＡＲ１との間の通信経路Ｐ１に何らかの異常が一時的に発生して通信が正常に行なわれなくなった場合、集中管理装置ＣＲは図２に示すように通信障害表示部１ｅに通信障害が発生した旨の表示を表示部１に行なうことにより使用者に空気調和機ＡＲ１と集中管理装置ＣＲとの間で通信の異常が発生していることを報知する。この表示が表示部１に表示された場合に使用者が通信復帰スイッチ２ｅを操作することにより、集中管理装置ＣＲと空気調和機ＡＲ１との間の通信が一旦リセットされて初期状態から所定の手順で通信が再開されるので、以降は正常に通信が行なわれる。
【００３６】
これにより、リセットすることにより復旧する程度の単純な通信障害であれば、専門の保守担当者をわざわざ呼び出す必要なしに、容易に復旧が可能になる。
【００３７】
（実施の形態２）
図３は本発明に係る空気調和機の遠隔制御システムの実施の形態２の各空気調和機ＡＲ１〜ＡＲ４に接続されているリモートコントローラＷＲ１〜ＷＲ４の操作パネル３０の構成を示す模式的正面図である。本実施の形態に係る空気調和機の遠隔制御システムの各空気調和機ＡＲ１〜ＡＲ４に接続されているリモートコントローラＷＲ１〜ＷＲ４の操作パネル３０は、表示部３と操作部４とを備えている。
【００３８】
リモートコントローラＷＲ１（ＷＲ２〜ＷＲ４）の操作パネル３０の表示部３は、各空気調和機ＡＲ１（ＡＲ２〜ＡＲ４）の動作内容を表示するためのものであり、液晶表示装置又は蛍光表示管等が利用される。この表示部３の表示内容としては、リモートコントローラＷＲ１（ＷＲ２〜ＷＲ４）の制御の対象となっている空気調和機（ユニット）ＡＲ１（ＡＲ２〜ＡＲ４）が運転中であるか停止中であるかを示す運転／停止表示部３ａ、同じく空気調和機ＡＲ１（ＡＲ２〜ＡＲ４）が運転中である場合に自動モードであるか暖房，除湿，冷房モードであるかを示す運転モード表示部３ｂ、同じく空気調和機ＡＲ１（ＡＲ２〜ＡＲ４）が運転中である場合に設定されている風量を示す風量表示部３ｃ、同じく空気調和機ＡＲ１（ＡＲ２〜ＡＲ４）が運転中である場合に設定されている温度を示す温度表示部３ｄ等が含まれている。
【００３９】
なお、参照符号３ｅは通信障害が発生した旨を表示する通信障害表示部である。集中管理装置ＣＲとの間に通信障害が発生している場合にこの通信障害表示部３ｅにその旨が表示されて使用者に通信障害が発生していることを報知する。
【００４０】
また操作部４はリモートコントローラＷＲ１（ＷＲ２〜ＷＲ４）の制御の対象となっている空気調和機（ユニット）ＡＲ１（ＡＲ２〜ＡＲ４）へ種々の指令を送るためのスイッチで構成されている。具体的には、リモートコントローラＷＲ１（ＷＲ２〜ＷＲ４）の制御の対象となっている空気調和機（ユニット）ＡＲ１（ＡＲ２〜ＡＲ４）を運転させるか停止させるかを指令するための運転／停止スイッチ４ａ、同じく空気調和機ＡＲ１（ＡＲ２〜ＡＲ４）の運転モード（自動，暖房，除湿，冷房）の切り換えを指令するための運転切換スイッチ４ｂ、同じく空気調和機ＡＲ１（ＡＲ２〜ＡＲ４）の風量を切り換えるための風量スイッチ４ｄ等が備えられている。
【００４１】
更に、操作部４には通信復帰スイッチ４ｅが備えられている。この通信復帰スイッチ４ｅは、そのリモートコントローラＷＲ１（ＷＲ２〜ＷＲ４）の制御の対象となっている空気調和機ＡＲ１（ＡＲ２〜ＡＲ４）と集中管理装置ＣＲとの間の通信を一旦リセットして初期状態とした後に所定の手順で通信を再開させるためのスイッチである。従ってこの通信復帰スイッチ４ｅが操作されると、ノイズ等により通信手順が狂ってしまったような場合であれば一旦リセットされて初期状態から所定の手順で通信が再開されるので、以降は正常に通信が行なわれることになる。
【００４２】
次に、上述のような操作パネル３０を有するリモートコントローラＷＲ１（ＷＲ２〜ＷＲ４）の動作について説明する。
【００４３】
前述のように、集中管理装置ＣＲと空気調和機ＡＲ１（ＡＲ２〜ＡＲ４）との間の通信経路Ｐ１（Ｐ２〜Ｐ４）に何らかの異常が一時的に発生して通信が正常に行なわれなくなった場合、リモートコントローラＷＲ１（ＷＲ２〜ＷＲ４）は図３ににて示すように通信障害表示部３ｅに通信障害が発生した旨の表示を表示部３に行なうことにより使用者に空気調和機ＡＲ１（ＡＲ２〜ＡＲ４）と集中管理装置ＣＲとの間で通信の異常が発生していることを報知する。この表示が表示部３に表示された場合に使用者が通信復帰スイッチ４ｅを操作することにより、集中管理装置ＣＲと空気調和機ＡＲ１（ＡＲ２〜ＡＲ４）との間の通信が一旦リセットされて初期状態から所定の手順で通信が再開されるので、以降は正常に通信が行なわれる。
【００４４】
これにより、リセットすることにより復旧する程度の単純な通信障害であれば、専門の保守担当者をわざわざ呼び出す必要なしに、容易に復旧が可能になる。
【００４５】
（実施の形態３）
図４は本発明に係る空気調和機の遠隔制御システムの実施の形態３の集中管理装置ＣＲのコントローラ５０の構成を示す模式的正面図である。本実施の形態に係る空気調和機の遠隔制御システムの集中管理装置ＣＲのコントローラ５０は、表示部５と操作部６とを備えている。
【００４６】
表示部５は、各空気調和機ＡＲ１〜ＡＲ４の動作内容を表示するためのものであり、液晶表示装置又は蛍光表示管等が利用される。この表示部５の表示内容としては、その時点で遠隔制御の対象となっている空気調和機（ユニット）ＡＲ１の番号を示すユニット番号表示部５ｄ、同じく空気調和機ＡＲ１が運転中であるか停止中であるかを示す運転／停止表示部５ａ、同じく空気調和機ＡＲ１が運転中である場合に自動モードであるか暖房，除湿，冷房モードであるかを示す運転モード表示部５ｂ、同じく空気調和機ＡＲ１が運転中である場合に設定されている風量を示す風量表示部５ｃ等が含まれている。
【００４７】
なお、参照符号５ｅは通信障害が発生した旨を表示する通信障害表示部である。ユニット番号表示部５ｄに表示されている番号の空気調和機に通信障害が発生している場合にこの通信障害表示部５ｅにその旨が表示されて使用者に通信障害が発生していることを報知する。
【００４８】
また、参照符号６ｅは、集中管理装置ＣＲといずれかの空気調和機ＡＲ１（ＡＲ２〜ＡＲ４）との間で通信障害が発生した場合にのみ表示部５にソフトキーとして表示される通信復帰スイッチ６e である。この通信復帰スイッチ６ｅは、集中管理装置ＣＲとユニット番号表示部１ｄに表示されている番号の空気調和機（ユニット）ＡＲ１との間の通信を一旦リセットして初期状態とした後に所定の手順で通信を再開させるためのスイッチである。従ってこの通信復帰スイッチ６ｅが操作されると、ノイズ等により通信手順が狂ってしまったような単純な通信障害が発生している場合であれば一旦リセットされて初期状態から所定の手順で通信が再開されるので、以降は正常に通信が行なわれることになる。
【００４９】
また操作部６は各空気調和機ＡＲ１〜ＡＲ４へ種々の指令を送るためのスイッチで構成されている。具体的には、いずれの空気調和機ＡＲ１〜ＡＲ４を遠隔制御するかを選択するためのユニット切換スイッチ６ｃ、このユニット切換スイッチ６ｃで選択されてその時点で遠隔制御の対象となっている空気調和機ＡＲ１（又はＡＲ２〜ＡＲ４）を運転させるか停止させるかを指令するための運転／停止スイッチ６ａ、同じく空気調和機ＡＲ１の運転モード（自動，暖房，除湿，冷房）の切り換えを指令するための運転切換スイッチ６ｂ、同じく空気調和機ＡＲ１の風量を切り換えるための風量スイッチ６ｄ等が備えられている。
【００５０】
次に、上述のようなコントローラ５０を有する集中管理装置ＣＲの動作について説明する。
【００５１】
前述のように、集中管理装置ＣＲと空気調和機ＡＲ１との間の通信経路Ｐ１に何らかの異常が一時的に発生して通信が正常に行なわれなくなった場合、集中管理装置ＣＲは図４に示すように通信障害表示部５ｅに通信障害が発生した旨の表示を表示部５に行なうことにより使用者に空気調和機ＡＲ１と集中管理装置ＣＲとの間で通信の異常が発生していることを報知する。この表示が表示部５に表示された場合には同時にソフトキーである通信復帰スイッチ６ｅも表示部５に表示されるので、使用者が通信復帰スイッチ６ｅを操作することにより、集中管理装置ＣＲと空気調和機ＡＲ１との間の通信が一旦リセットされて初期状態から所定の手順で通信が再開されるので、以降は正常に通信が行なわれる。
【００５２】
これにより、リセットすることにより復旧する程度の単純な通信障害であれば、専門の保守担当者をわざわざ呼び出す必要なしに、容易に復旧が可能になる。
【００５３】
このように本発明に係る空気調和機の遠隔制御システムの実施の形態３では、いずれの空気調和機ＡＲ１〜ＡＲ４との間においても通信障害が発生していない状態においては通信復帰スイッチ６ｅが表示されないので、使用者が誤って通信復帰スイッチ６ｅを操作することはあり得ず、不要な操作が誤って行なわれる虞がなくなる。
【００５４】
なお、本実施の形態３では集中管理装置ＣＲのコントローラ５０の表示部５にソフトキー式の通信復帰スイッチ６ｅを必要に応じて表示する構成としたが、同様に各空気調和機ＡＲ１〜ＡＲ４のリモートコントローラＷＲ１〜ＷＲ４の操作パネル３０の表示部３にソフトキー式の通信復帰スイッチを必要に応じて表示する構成としてもよい。
【００５５】
また上述の各実施の形態における集中管理装置ＣＲのコントローラ１０及び５０、リモートコントローラＷＲ１〜ＷＲ４の操作パネル３０の構成及びその機能，動作等に関してはいずれも従来周知であるので、それらの説明は省略した。
【００５６】
以上に詳述したように本発明に係る空気調和機の遠隔制御システムによれば、集中管理装置と複数の空気調和機のいずれかとの間に通信障害が発生した場合にも、集中管理装置において通信を復帰させる指示を受け付けることにより通信が復帰する可能性が高いため、保守点検のために専門の技術者がわざわざ出向かなければならない必要性が減少する。また本発明に係る空気調和機の遠隔制御システムによれば、通信障害が発生した場合にのみ、集中管理装置の表示部に通信復帰指示手段であるスイッチが表示されるので、通常の状態において誤操作が行なわれる可能性が低くなる。
【００５７】
更に本発明に係る空気調和機の遠隔制御システムによれば、集中管理装置と複数の空気調和機のいずれかとの間に通信障害が発生した場合にも、通信障害が発生した空気調和機において通信を復帰させる指示を受け付けることにより通信が復帰する可能性が高いため、保守点検のために専門の技術者がわざわざ出向かなければならない必要性が減少する。また本発明に係る空気調和機の遠隔制御システムによれば、それぞれの空気調和機を個別に制御するリモートコントローラに報知手段及び通信復帰指示手段が備えられているので、通信を復帰させる指示を使用者が容易に与えることが可能になる。更に本発明に係る空気調和機の遠隔制御システムによれば、通信障害が発生した場合にのみ、リモートコントローラの表示部に通信復帰指示手段であるスイッチが表示されるので、通常の状態において誤操作が行なわれる可能性が低くなる。
【図面の簡単な説明】
【００５８】
【図１】本発明に係る空気調和機の遠隔制御システムのシステム構成を示す模式的ブロック図である。
【図２】本発明に係る空気調和機の遠隔制御システムの実施の形態１の集中管理装置のコントローラの構成を示す模式的正面図である。
【図３】本発明に係る空気調和機の遠隔制御システムの実施の形態２の各空気調和機に接続されているリモートコントローラの操作パネルの構成を示す模式的正面図である。
【図４】本発明に係る空気調和機の遠隔制御システムの実施の形態３の集中管理装置のコントローラの構成を示す模式的正面図である。
【図５】一般的な空気調和機の集中管理システムの構成例を示す模式的ブロック図である。
【図６】一般的な空気調和機の集中管理システムの他の構成例を示す模式的ブロック図である。
【符号の説明】
【００５９】
ＣＲ  集中管理装置
ＡＲ１, ＡＲ２, ＡＲ３, ＡＲ４  空気調和機
Ｐ１，Ｐ２，Ｐ３，Ｐ４  通信経路
ＷＲ１, ＷＲ２, ＷＲ３, ＷＲ４  リモートコントローラ
１  集中管理装置の表示部
１ｅ  通信障害表示部
２  集中管理装置の操作部
２ｅ  通信復帰スイッチ
３  リモートコントローラの表示部
３ｅ  通信障害表示部
４  リモートコントローラの操作部
４ｅ  通信復帰スイッチ
５  集中管理装置の表示部
５ｅ  通信障害表示部
６  集中管理装置の操作部
６ｅ  通信復帰スイッチ
【図１】
2005308253.tif 000003
【図２】
2005308253.tif 000004
【図３】
2005308253.tif 000005
【図４】
2005308253.tif 000006
【図５】
2005308253.tif 000007
【図６】
2005308253.tif 000008